(57)【要約】【課題】製造が容易で作業性に優れ且つコイルと給電端子との接続部における断線を防止できるレンズ駆動装置、オートフォーカスカメラ及びカメラ付き携帯電話を提供する。【解決手段】レンズ支持体５の外周に巻回されたコイル１９に通電して生じる電磁力によりレンズ支持体５を前後に移動するレンズ駆動装置１であって、コイル１９は内周側を巻き始め層とし、最も外周側を巻き終わり層として、レンズ支持体５の径方向外側に向けて積層するように被覆導線Ｓを巻回してあり、コイル１９の巻き始側部及びコイルの巻き終わり側部の少なくとも一方側部と給電端子２７ａとを熱を伴う接続手段により接続してあり、被覆導線Ｓの被覆材を接続手段の熱により溶融除去することにより、コイル１９と給電端子２７ａとを電気的に接続してあることを特徴とする。【選択図】図１
2011133587.tif 000002
【特許請求の範囲】
【請求項１】
外周にコイルが巻回され内周にレンズを設けたレンズ支持体と、レンズ支持体の外周側に配置されてコイルと対向するマグネットと、レンズ支持体を移動自在に保持するスプリングと、コイルに接続して電流を流す給電端子とを備え、コイルに通電して生じる電磁力によりレンズ支持体をレンズの光軸方向に沿って前後に移動するレンズ駆動装置であって、
コイルは内周側を巻き始め層とし、最も外周側を巻き終わり層として、レンズ支持体の径方向外側に向けて積層するように被覆導線を巻回してあり、コイルの巻き始側部及びコイルの巻き終わり側部の少なくとも一方側部と給電端子とを熱を伴う接続手段により接続してあり、被覆導線の被覆材を接続手段の熱により溶融除去することにより、コイルと給電端子とを電気的に接続してあることを特徴とするレンズ駆動装置。
【請求項２】
コイルは巻き始め側の層から巻き終わり側の層に向けて各層の端を順次ずらすことによりコイルの両端面を平行に傾斜してあり、給電端子は２つ設けてあり、最も径方向内側の巻き始め側層と最も径方向外側の巻き終わり側層とを各々給電端子に接続していることを特徴とする請求項１に記載のレンズ駆動装置。
【請求項３】
スプリングは、２つに分割して設けてあり、各スプリングの分割部分に給電端子が一体に形成してあり、一方の給電端子はコイルの半径方向内周側に配置され、他方の給電端子はコイルの半径方向外周側に配置していることを特徴とする請求項２に記載のレンズ駆動装置。
【請求項４】
内周にレンズを支持するレンズ支持体と、レンズ支持体の外周面に配置した第１環状コイルと、レンズ支持体の外周面に周方向に９０度の間隔をあけて配置した複数の第２環状コイルと、レンズ支持体を移動自在に支持するベースと、ベースに固定した第１マグネットと第２マグネットと、各コイルへの通電を制御する制御部とを備え、第１マグネットは第１環状コイルに対面して配置し、第２マグネットは各第２環状コイルに対面して配置してあり、制御部はレンズ支持体を光軸方向へ移動するときには第１環状コイルに電流を流し、レンズ支持体を光軸と直交するＸ―Ｙ方向に移動するときには所定の第２環状コイルに電流を流すレンズ駆動装置であって、
レンズ支持体にはその外周にリング状の給電端子が設けてあり、各環状コイルは巻き始め側部又は巻き終わり側部が給電端子に熱を伴う接続手段により接続してあり、コイルの被覆導線の被覆材を接続手段の熱により溶融除去することにより、コイルと給電端子とを電気的に接続してあることを特徴とするレンズ駆動装置。
【請求項５】
請求項１〜４のいずれか一項に記載のレンズ駆動装置と、レンズ支持体のレンズの結像側に設けた画像センサとを備えることを特徴とするオートフォーカスカメラ。
【請求項６】
請求項５に記載のオートフォーカスカメラを搭載したことを特徴とするカメラ付き携帯電話。
【発明の詳細な説明】
【技術分野】
【０００１】
本発明は、レンズ駆動装置、オートフォーカスカメラ及びカメラ付き携帯電話に関する。
【背景技術】
【０００２】
特許文献１には、外周にコイルを巻回したレンズ支持体を一方及び他方のスプリングで移動自在に保持し、コイルの被覆導線の一端を一方のスプリングに接続し、コイルの被覆導線の他端を他方のスプリングに接続して、スプリングを介してコイルに電流を流すことが開示されている。
この特許文献１には、コイルの被覆導線の一端と他端をスプリングに接続する方法について具体的に開示されていないが、一般的には、被覆導線の巻き始め側端と、巻き終わり側端を引き出して、各被覆導線の端を各々スプリング（給電端子）に位置決めして、半田付け等により接続している。
【先行技術文献】
【特許文献】
【０００３】
【特許文献１】特開２００９−２６５２１０号公報
【発明の概要】
【発明が解決しようとする課題】
【０００４】
しかし、コイルの被覆導線は極めて細いことから取扱い難く、コイルの巻き始め端と巻き終わり端の被覆導線を引き出して、それらを手で押さえながら位置決めして、給電端子に半田付けする作業は手間がかかり、作業効率に劣るという問題があった。
また、コイルの被覆導線と給電端子との接続部では、被覆導線の線径が細い為、断線が生じ易いという問題があった。
【０００５】
そこで、本発明は、製造が容易で作業性に優れ且つコイルと給電端子との接続部における断線を防止できるレンズ駆動装置、オートフォーカスカメラ及びカメラ付き携帯電話の提供を目的とする。
【課題を解決するための手段】
【０００６】
請求項１に記載の発明は、外周にコイルが巻回され内周にレンズを設けたレンズ支持体と、レンズ支持体の外周側に配置されてコイルと対向するマグネットと、レンズ支持体を移動自在に保持するスプリングと、コイルに接続して電流を流す給電端子とを備え、コイルに通電して生じる電磁力によりレンズ支持体をレンズの光軸方向に沿って前後に移動するレンズ駆動装置であって、コイルは内周側を巻き始め層とし、最も外周側を巻き終わり層として、レンズ支持体の径方向外側に向けて積層するように被覆導線を巻回してあり、コイルの巻き始側部及びコイルの巻き終わり側部の少なくとも一方側部と給電端子とを熱を伴う接続手段により接続してあり、被覆導線の被覆材を接続手段の熱により溶融除去することにより、コイルと給電端子とを電気的に接続してあることを特徴とするレンズ駆動装置である。
熱を伴う接続手段（以下「熱接続手段」という）とは、半田付け、レーザ溶着、リフロー等の接続方法をいう。
【０００７】
請求項２に記載の発明は、請求項１に記載の発明において、コイルは巻き始め側の層から巻き終わり側の層に向けて各層の端を順次ずらすことによりコイルの両端面を平行に傾斜してあり、給電端子は２つ設けてあり、最も径方向内側の巻き始め側層と最も径方向外側の巻き終わり側層とを各々給電端子に接続していることを特徴とする。
【０００８】
請求項３に記載の発明は、請求項２に記載の発明において、スプリングは、２つに分割して設けてあり、各スプリングの分割部分に給電端子が一体に形成してあり、一方の給電端子はコイルの半径方向内周側に配置され、他方の給電端子はコイルの半径方向外周側に配置していることを特徴とする。
【０００９】
請求項４に記載の発明は、内周にレンズを支持するレンズ支持体と、レンズ支持体の外周面に配置した第１環状コイルと、レンズ支持体の外周面に周方向に９０度の間隔をあけて配置した複数の第２環状コイルと、レンズ支持体を移動自在に支持するベースと、ベースに固定した第１マグネットと第２マグネットと、各コイルへの通電を制御する制御部とを備え、第１マグネットは第１環状コイルに対面して配置し、第２マグネットは各第２環状コイルに対面して配置してあり、制御部はレンズ支持体を光軸方向へ移動するときには第１環状コイルに電流を流し、レンズ支持体を光軸と直交するＸ―Ｙ方向に移動するときには所定の第２環状コイルに電流を流すレンズ駆動装置であって、レンズ支持体にはその外周にリング状の給電端子が設けてあり、各環状コイルは巻き始め側部又は巻き終わり側部が給電端子に熱を伴う接続手段により接続してあり、コイルの被覆導線の被覆材を接続手段の熱により溶融除去することにより、コイルと給電端子とを電気的に接続してあることを特徴とするレンズ駆動装置である。
【００１０】
請求項５に記載の発明は、請求項１〜４のいずれか一項に記載のレンズ駆動装置と、レンズ支持体のレンズの結像側に設けた画像センサとを備えることを特徴とするオートフォーカスカメラである。
【００１１】
請求項６に記載の発明は、請求項５に記載のオートフォーカスカメラを搭載したことを特徴とするカメラ付き携帯電話である。
【発明の効果】
【００１２】
請求項１に記載の発明によれば、被覆導線を巻いたコイルの巻き始め側部と巻き終わり側部との少なくとも一方側部は、被覆導線の端を引き出すことなく、コイル部分に給電端子を当てて熱接続手段による（以下「熱接続手段」という）で直接接続する。
従って、コイルの巻き始め側部と巻き終わり側部との少なくとも一方側部では、極めて細い被覆導線の端部を引き出して給電端子に位置決めする必要がないので、製造が容易であり、作業性に優れる。
コイルの巻き始め側部と巻き終わり側部との少なくとも一方側部では、被覆導線を引き出すことなくコイルに直接給電端子を熱接続するから従来生じていた被覆導線の断線を防止できる。
【００１３】
請求項２に記載の発明によれば、請求項１に記載の作用効果を奏すると共に、コイルの巻き始め側部と巻き終わり側部とを各々コイルの半径方向外側に露出できるので、コイルの巻き始め側部と巻き終わり側部との各々の部位でコイルの外側から熱接続ができ、コイルの巻き始め側部と巻き終わり側部との両方において被覆導線を引き出すことなく給電端子に接続できるので、更に作業性を高めることができる。
【００１４】
請求項３に記載の発明によれば、請求項２に記載の作用効果を奏すると共に、レンズ支持体を支持するスプリングに給電端子を設けているので、スプリングを電流通路として利用する場合に、スプリングとコイルとの電気的接続が容易になり、更に製造が容易で作業性に優れる。
【００１５】
請求項４に記載の発明によれば、多数のコイルをレンズ支持体に設けるだけで、レンズ支持体の光軸方向への移動及びＸ―Ｙ方向への移動を可能としていると共に、各コイルの給電端子への接続が、請求１記載の発明と同様に容易にでき、製造が容易であり、作業性に優れると共に各コイルの被覆導線の断線を防止できる。
【００１６】
請求項５に記載の発明によれば、請求項１〜４のいずれか一項に記載の作用効果を奏するオートフォーカスカメラを提供できる。
【００１７】
請求項６に記載の発明によれば、請求項５に記載の作用効果を奏するカメラ付き携帯電話を提供できる。
【図面の簡単な説明】
【００１８】
【図１】第１実施の形態に係るレンズ駆動装置の図であり、（ａ）はレンズ支持体とスプリングとを抜き出して示す縦断面図であり、（ｂ）は（ａ）に示すＢ部の拡大図であり、（ｃ）は（ａ）に示すＣ部の拡大図である。
【図２】第１実施の形態に係るレンズ駆動装置の分解斜視図である。
【図３】第１実施の形態に係るレンズ駆動装置を図４に示すＡ―Ａ位置で切断した断面図である。
【図４】第１実施の形態に係るレンズ駆動装置の外観を示す斜視図である。
【図５】第２実施の形態に係るレンズ駆動装置の縦断面図である。
【図６】第２実施の形態に係るレンズ駆動装置において、レンズ支持体とスプリングとを抜き出して示す斜視面である。
【図７】第２実施の形態に係るレンズ駆動装置を水平に切断した断面図である。
【図８】第２実施の形態に係るレンズ駆動装置の分解斜視図である。
【図９】第２実施の形態に係るレンズ駆動装置の作用を説明する図である。
【図１０】第１実施の形態の変形例に係るレンズ駆動装置の図であり、レンズ支持体とスプリングとを抜き出して示す縦断面図である。
【発明を実施するための形態】
【００１９】
以下に、添付図面の図１〜図４を参照して本発明の第１実施の形態を詳細に説明する。本実施の形態に係るレンズ駆動装置１は、携帯電話に組み込まれるオートフォーカスカメラのレンズ駆動装置である。
【００２０】
このレンズ駆動装置１は、図２に示すように、環状のヨーク３と、レンズ支持体５と、ヨーク３の光軸方向前側に配置される前側スプリング９と、ヨーク３の後側に配置されるベース８及び後側スプリング１１とを備えており、後側スプリング１１とヨーク３との間には後側スペーサ１５が配置されている。
【００２１】
ヨーク３は前側から見て外周が平面視四角形であり、内周が平面視円形になっており、外周側壁３ａと、内周側壁３ｂと、外周側壁３ａと内周側壁３ｂとを間隔をあけて連結する連結壁３ｃとからなり、外周側壁３ａと内周側壁３ｂと連結壁３ｃとで断面がコ字形状を成している。内周側壁３ｂには、後側端から前方に向けて切除部１２が形成されている。切除部１２は周方向に等間隔をあけて配置してあり、本実施の形態では、平面視四角形状の外周側壁３ａにおいて、隣り合う角部１４間（辺の部分）に対応する位置に設けてある。
【００２２】
ヨーク３の各角部１４において、外周側壁３ａの内周面にはマグネット１７が固定されている。マグネット１７は、角部１４のみに設けてあり、内周側壁３ｂに形成された切除部１２に対応する位置にはない。
【００２３】
レンズ支持体５は略円筒形状であり、その内周部にレンズ（図示せず）が装着されて、ヨーク３の内周側を光軸方向に移動自在に設けられている。レンズ支持体５の外周には環状のコイル１９が装着されており、コイル１９はレンズ支持体５に一体に設けたコイル固定部５ａに接着固定されている。
【００２４】
図３に示すように、コイル１９はヨーク３の外周側壁３ａと内周側壁３ｂとの間に配置するが、マグネット１３がある角部１４ではマグネット１３と内周側壁３ｂとの間に位置し、レンズ支持体５と共にヨーク３内を前後方向に移動するようになっている。
コイル１９は、図１（ｃ）に示すように、その内周側下端を被覆導線Ｓの巻き始め端１９ｆとし、外周側上端を巻き終わり端１９ｇとしてあり、最も内周側の第１層Ｎ１から順次外側に層を重ねて最も外周側を最終層Ｎｎとしてある。本実施の形態では、第１層Ｎ１から最外層Ｎｎまで順次下端を次第に上方にするようにずらしており、断面において下端と上端を傾斜させた略平行四辺形にしている。
尚、図１（ｃ）に示す矢印Ｔは、被覆導線Ｓを巻くときの送り方向を示している。
【００２５】
図２に示すように、前側スプリング９は環状の板ばねであり、内周側部９ａと外周側部９ｂとが設けてあり、内周側部９ａはレンズ支持体５に取付けてあり、外周側部９ｂはヨーク３とフレーム６との間に挟持して固定されている。内周側部９ａと外周側部９ｂとは弾性変形可能な腕部９ｃにより連結してある。
【００２６】
後側スプリング１１は全体として環状の板ばねであるが、本実施の形態では、左右に分割した一方側部４０と他方側部４２とから構成されている。後側スプリング１１の各外周側部１１ｂ、１１ｂは、絶縁体（スペーサ）１５を介してベース５とヨーク３との間に挟持されており、絶縁体１５は後側スプリング１１とヨーク３との間の電気的絶縁を図っている。各内周側部１１ａ、１１ａは、レンズ支持体５の後端に取付けてある。後側スプリング１１の各内周側部９ａと外周側部９ｂとは弾性変形可能な腕部１１ｃにより連結してある。
【００２７】
本実施の形態では、後側スプリング１１を構成する一方側部４０には電源端子４３が形成されており、他方側部４２には電源端子５５が形成されて各端子４３、４５からスプリングに電流が供給されている。
【００２８】
一方側部４０の内周側部１１ａには、コイル１９側に向けて突設した第１給電端子２７ａが形成されている。他方側部４２の内周側部１１ａにもコイル１９側に向けて突設した第２給電端子２７ｂが形成されている。第１給電端子２７ａは第２給電端子２７ｂよりも半径方向外周側に位置し、図１（ｂ）に示すように、第１給電端子２７ａはコイル１９の外周側面に位置し、図１（ｃ）に示すように、第２給電端子２７ｂはコイル１９の内周側面に位置するようになっている。
【００２９】
ここで、コイル１９と各給電端子２７ａ、２７ｂとの接続について説明する。図１（ｂ）に示すように、第１給電端子２７ａとコイル１９の外周面とは半田付け２８により接続し、図１（ｃ）に示すように、第２給電端子２７ｂとコイル１９の内周側部とは、コイル１９の下端を第２給電端子２７ａの外周側面に半田付け２８をすることにより接続する。いずれの接続も半田付け２８の熱によりコイル１９の被覆導線Ｓの被覆材が溶融してコイル１９と各給電端子２７ａ、２７ｂとが電気的に接続されている。
【００３０】
次に、第１実施の形態に係るレンズ駆動装置１の組み立て、作用及び効果について説明する。
レンズ駆動装置１の組立ては、図２に示すように、ベース８に、後側スプリング１１、後側スペーサ１５、コイル１９を外周面に固定したレンズ支持体５、マグネット１７を内周側面に固定したヨーク３、前側スプリング９及びフレーム７をこの順序で組み付けて固定する。
【００３１】
後側スプリング１１とレンズ支持体５の組み付け時には、コイル１９の外周側面に位置する第１給電端子２７ａを図１（ｂ）に示すように半田付け２８によりコイル１９の外周面に接続する。一方、コイル１９の内周側面に位置する第２給電端子２７ｂは、コイル１９の下端を半田付け２８により接続する。第１及び第２給電端子２７ａ、２７ｂが接続されるコイル部分ではその被覆導線Ｓの被覆材が半田付けの熱により溶融除去され、コイル１９と各給電端子２７ａ、２７ｂとが電気的に接続される。
【００３２】
レンズ駆動装置１の駆動は、電源端子４３、４５から第１及び第２給電端子２７ａ、２７ｂを介してコイル１９に通電すると、コイル１９に作用する電磁力で、レンズ支持体５は前側スプリング９及び後側スプリング１１の付勢力に抗して移動し、スプリング９、１１との力の釣り合う位置で停止する。
【００３３】
第１実施の形態によれば、被覆導線Ｓを巻いたコイル１９の内周側にある巻き始め側部と、外周側にある巻き終わり側部とは、被覆導線Ｓを引き出すことなく、各々隣接配置された給電端子２７ａ、２７ｂに半田付けで直接接続する。従って、極めて細い被覆導線Ｓの端部を引き出して各給電端子２７ａ、２７ｂに位置決めする必要がないので、製造が容易であり、作業性に優れる。
被覆導線Ｓを引き出すことなくコイル１９に直接給電端子を熱接続するから従来生じていた被覆導線の断線を防止できる。
【００３４】
コイル１９は巻き始め側の第１層Ｎ１から巻き終わり側の最終層Ｎｎに向けて各層の端を順次ずらして、コイル１９の上端面と下端面を平行に傾斜しているので、コイル１９の巻き始め側部と巻き終わり側部とを各々コイル１９の半径方向外側に露出できるので、コイル１９の内周側に配置した第２給電端子とコイル１９の内周側に位置する巻き始め側部の接続がコイルの外周側から行うことができ、更に作業性を高めることができる。
後側スプリング１１に設けた第１給電端子２７ａと第２給電端子２７ｂがレンズ支持体５に組み付けたときにコイル１９の半径方向内周側と外周側とに配置されるので、後側スプリング１１とコイルとの電気的接続が容易で作業性に優れる。
【００３５】
以下に、本発明の他の実施の形態を説明するが、以下に説明する実施の形態において、上述した第１実施の形態と同一の作用効果を奏する部分には、同一の符号を付することによりその部分の詳細な説明を省略し、以下の説明では、上述した第１実施の形態と主に異なる点について説明する。
図５〜図９を参照して、本発明の第２実施の形態を説明する。この第２実施の形態にかかるレンズ駆動装置１は、光軸方向（Ｚ方向）のほか光軸に直行する平面のＸ―Ｙ方向にも移動可能に設けて、手振れ補正ができるようにしたものである。
【００３６】
この第２実施の形態では、ヨーク３は、四角筒形状であり、各角部には２つのマグネット１７ａ及び１７ｂからなる第１マグネット１７部が固定されており、ヨーク３の４つの側面の内周には、各々第２マグネット１８が固定されている。第２マグネット１８部はヨークの各側面に形成された矩形の穴２０に外周側から挿入されてヨーク３に固定されている。
第２マグネット部１８は、図７に示すように、補助ヨーク１８ｃとこの補助ヨーク１８ｃを挟む左右に設けた左右のマグネット１８ａ、１８ｂとから構成されており、左右のマグネット１８ａ、１８ｃは補助ヨーク１８ｃと反対側の面の磁極が互いに異なるようにしている。図７に一点鎖線で抜き出して示すように、例えば、左右の右側面の磁極をＮ極とし、左右の右側の磁極をＳ極としている。
【００３７】
図６及び図８に示すように、レンズ支持体５は、略円筒形状であり、その内周側にレンズ（図示せず）が固定されている。レンズ支持体５の外周面には周方向に等間隔をあけて４つの第１環状コイル１９ａ、１９ｂ、１９ｃ、１９ｄが設けてある。４つの第１環状コイル１９ａ、１９ｂ、１９ｃ、１９ｄは、レンズ支持体５の外周面に周囲方向に等間隔で取付けてあり、各々側面視矩形の環を成している。
【００３８】
各第１環状コイル１９ａ〜１９ｄの前側辺部２１は第１マグネット部１７の前側マグネット１７ａに対面し、後側辺部２３は後側マグネット１７ｂに対面している。
【００３９】
隣り合う第１環状コイル１９ａ〜１９ｄ間には、第２環状コイル１６ａ、１６ｂ、１６ｃ、１６ｄが配置されている。各第２環状コイル１６ａ〜１６ｄは各々側面視矩形を成しており、図７に示すように、矩形の環の内側には第２マグネット部１８が挿入されている。各第２環状コイル１６ａ〜１６ｄは、各々周方向の右側辺部２４が第２マグネット１８の右側マグネット１８ａに対面し、左側辺部２６が左側マグネット１８ｂに対面している。
各環状コイル１９ａ〜１９ｄ及び１６ａ〜１６ｄは、各々内周側を被覆導線Ｓの巻き始め端としてあり、内周側から第１層を形成し外周側に順次層を重ねて環状コイルの最外層を巻き終わり端としてある。
【００４０】
図９に示すように、各第１環状コイル１９ａ〜１９ｄは、Ｚ−θ駆動部３２に接続されており、各第２各環状コイル１６ａ〜１６ｄはＸ―Ｙ駆動部３３に接続されており、各々駆動部３２、３３から所定値の電流が通電されるようになっている。各駆動部３２、３３は制御部（図示せず）から制御信号を受けて、各コイルに所定値の電流を流す。
【００４１】
尚、本実施の形態では、第１環状コイル１９ａ〜１９ｄには、各々個別に電流を流すが、第２環状コイル１６ａ及び１６ｃと、１６ｂ及び１６ｄとが直列に接続されており、Ｘ方向及びＹ方向で共に２つの環状コイル１６ａ及び１６ｃ、１６ｂ及び１６ｄで同方向に駆動するようになっている。
【００４２】
本実施の形態では、例えば、ジャイロセンサの出力信号を受けると制御部では、手振れ量及びチルト量を演算出してＺ−θ駆動部３２及びＸ―Ｙ駆動部３３に出力信号を発するようになっている。そして、Ｚ−θ駆動部３２では、レンズ支持体５をフォーカス位置へ移動する場合には、フォーカス部３５から各第１環状コイル１６ａ〜１６ｄに通電する電流Ａを流し、チルト補正部３７によりチルト補正をする場合には、対応する第１環状コイル１９ａ、１９ｂ、１９ｃ、１９ｄに電流Ｂを流す。尚、図６では符合Ａ、Ｂは流した電流に基づいて生じる推力の方向と大きさを示している。
【００４３】
同様に、手振れ補正をする場合には、Ｘ―Ｙ駆動部３３では、第２環状コイル１９ａ及び１９ｃに電流Ｅを流してＸ方向にレンズ支持体を移動させ、第２環状コイル１９ｂ及び１９ｄに電流Ｆを流してＹ方向にレンズ支持体を移動させる。これにより、レンズ支持体をＸ―Ｙ方向に移動して手振れ補正を行う。Ｘ―Ｙ駆動部３３は、Ｘ方向の手振れ量に対しては、第２環状コイル１９ａ及び１９ｃに所定の電流Ｅを流し、Ｙ方向の手振れ量に対しては所定の電流Ｆを流す。
【００４４】
この第２実施の形態では、図６及び図９に示すように、レンズ支持体５の外周面には第１環状コイル１９ａ〜１９ｂと第２環状コイル１６ａ〜１６ｄが配置してあるが、各コイルはその前端面（光軸方向の前端）の位置を同じにしてあり、図６に示すように、各コイルの前端面に隣接するようにリング状の給電端子（マイナス端子）３６がレンズ支持体５に固定されている。尚、図９にはリング状の給電端子３６は省略して示している。
そして、各第１環状コイル１９ａ〜１９ｂと第２環状コイル１６ａ及び１６ｂは各々外周側面にある巻き終わり側部を半田付け２８により接続してある。
尚、第１環状コイル１９ａ〜１９ｄと第２環状コイル１６ｃ及び１６ｄの巻き始め側部では被覆導線の巻き始め端を引き出して、各出力電源端子に接続している。
【００４５】
この第２実施の形態では、多数のコイル１６ａ〜１６ｄ、１９ａ〜１９ｄをレンズ支持体に設けるだけで、レンズ支持体の光軸方向への移動及びＸ―Ｙ方向への移動及びレンズ支持体の傾き（チルト）制御を可能としていると共に、各コイル１６ａ〜１６ｄ、１９ａ〜１９ｄの給電端子への接続が、少なくともマイナス給電端子３６との接続においては、上述した第１実施の形態と同様に、被覆導線Ｓの巻き終わり端を引き出さずにできるから、製造が容易であり、作業性に優れると共に各コイルの被覆導線の断線を防止できる。
【００４６】
本発明は、上述した実施の形態に限らず、本発明の要旨を逸脱しない範囲で種々変形可能である。例えば、上述した第１実施の形態において、図１０に示すように、コイルは断面が矩形になるように被覆導線Ｓを巻いて、コイル１９の内周側面と第２給電端子２７ｂとの接続は、後側スプリング１１の隙間から挿入したこてで半田付けするものであっても良い。
【符号の説明】
【００４７】
１      レンズ駆動装置
３      ヨーク（筺体）
５      レンズ支持体
１１    後側スプリング（スプリング）
１６ａ〜１６ｄ    第２環状コイル
１７    マグネット
１９    コイル
１９ａ〜１９ｄ    第１環状コイル
２７ａ  第１給電端子
２７ｂ  第２給電端子
２８    半田（熱溶着手段）      
３６    給電端子
【図１】
2011133587.tif 000003
【図２】
2011133587.tif 000004
【図３】
2011133587.tif 000005
【図４】
2011133587.tif 000006
【図５】
2011133587.tif 000007
【図６】
2011133587.tif 000008
【図７】
2011133587.tif 000009
【図８】
2011133587.tif 000010
【図９】
2011133587.tif 000011
【図１０】
2011133587.tif 000012